(57)【特許請求の範囲】
【請求項１】
浴槽に給湯するとともに、前記浴槽中の残水を加熱する給湯装置であって、
装置本体に設けられて上水を加熱する第１の熱交換器と、
前記装置本体内に形成されて前記浴槽内の湯水を循環させる管路と、
前記管路に設けられて前記浴槽内の湯水を加熱する第２の熱交換器と、
前記管路を通して前記第２の熱交換器に前記浴槽内の湯水を循環させるとともに、前記浴槽内の湯水を攪拌させるポンプと、
前記浴槽内の湯水の温度を検出する温度検出手段と、
前記浴槽の湯水を加熱する場合に前記ポンプを動作させ、前記温度検出手段による前記浴槽内の湯水の検出温度が設定温度に到達したとき、前記第１の熱交換器又は前記第２の熱交換器の加熱動作を停止させる制御手段と、
前記装置本体側の前記管路と前記浴槽の循環口とを連結する循環パイプと、
前記装置本体に設けられて前記循環パイプのパイプ径が大径である場合に対応する第１の連結部と、前記パイプ径が小径である場合に対応する第２の連結部とを有する連結手段と、
を備え、
前記連結手段は、前記装置本体の取付孔に前記装置本体の内側から貫通させて前記装置本体の外部に突出させる円柱状の連結本体部と、この連結本体部の基部側の周囲部に形成されて前記装置本体側に設置される固定フランジ部と、前記装置本体の内側に形成された固定膨出部に載せられて前記装置本体の内側から固定ねじによって固定される固定突部とを有し、
前記第１の連結部は、前記装置本体の壁面部に突設させた前記連結本体部の外径部で形成され、
前記第２の連結部は、前記連結本体部に形成されて前記管路と連通させた前記外径部より径小なねじ孔で形成され、
前記循環パイプのパイプ径が小径であって、前記第２の連結部の前記ねじ孔に適合する場合には、前記第２の連結部の前記ねじ孔に前記循環パイプを固定することにより、前記第２の連結部と前記循環パイプとを連結させ、
前記循環パイプが前記第２の連結部の前記ねじ孔より径大であって、前記第１の連結部である前記連結本体部の前記外径部に対応させる場合には、前記第１の連結部に前記循環パイプを当て、弾性を持つ連結部材を前記第１の連結部と前記循環パイプとに跨がらせて取り付けることにより、前記第１の連結部と前記循環パイプとを前記連結部材によって連結させることを特徴とする給湯装置。
【請求項２】
請求項１記載の給湯装置において、
前記浴槽内の湯水の温度を設定する温度設定スイッチを備えて前記制御手段に前記加熱動作を制御させる遠隔操作手段を備えることを特徴とする給湯装置。
【発明の詳細な説明】
【０００１】
【発明の属する技術分野】
本発明は、浴槽等への給湯や浴槽残水の再加熱が可能な給湯装置に関する。
【０００２】
【従来の技術】
従来、浴槽への給湯とともに浴槽内残水を追焚きする風呂釜が用いられてきた。この種の風呂釜は、浴室内や浴室の外壁近傍に設置され、その本体部と浴槽の循環口とを循環パイプで直結する配管形態で使用されている。
【０００３】
【発明が解決しようとする課題】
ところで、このような自動風呂釜と浴槽の寿命は異なっており、風呂釜の交換に際し、既存の浴槽の継続使用とともに、炊事場等、浴槽以外への給湯の拡張、自動沸上げやリモコン操作等、高機能化が要求される場合がある。
【０００４】
ところが、自然循環型風呂釜では、浴槽と風呂釜とを湯水の熱的な循環を行わせているため、風呂釜と浴槽とは太い循環パイプで連結されており、通常、浴槽側には２か所に径大な循環口が設けられている。これに対し、強制循環型風呂釜では、ポンプによる効率的な水流を生じさせるために、細い循環パイプで給湯装置と浴槽とを連結することが必要となる。即ち、自然循環型風呂釜と強制循環型風呂釜とは浴槽側の循環口の径等、その形態が異なっている。
【０００５】
そこで、本発明は、異なる形態の浴槽の配管形態に対応する給湯装置を提供することを目的とする。
【０００６】
【課題を解決するための手段】
本発明の給湯装置は、浴槽（２４）等に給湯するとともに、浴槽（２４）中の残水を加熱する給湯装置であって、装置本体（２）側の管路（追焚経路１７）と浴槽（２４）の循環口（８２、８４）とを連結すべき循環パイプ（８６、８８）は浴槽（２４）の形態に応じて選定されるが、選定された循環パイプ（８６、８８）のパイプ径に対応する連結部（２３６、２３８）を備えた連結手段（連結具２６、２８）を設置し、循環パイプ（８６、８８）のパイプ径の変動に即応可能としたものである。
【０００７】
本発明の給湯装置は、浴槽（２４）に給湯するとともに、前記浴槽中の残水を加熱する給湯装置であって、装置本体（２）に設けられて上水を加熱する第１の熱交換器（４）と、前記装置本体内に形成されて前記浴槽内の湯水（３０）を循環させる管路（追焚経路１７）と、前記管路に設けられて前記浴槽内の湯水を加熱する第２の熱交換器（６）と、前記管路を通して前記第２の熱交換器に前記浴槽内の湯水を循環させるとともに、前記浴槽内の湯水を攪拌させるポンプ（８）と、前記浴槽内の湯水の温度を検出する温度検出手段（サーミスタ７４）と、前記浴槽の湯水を加熱する場合に前記ポンプを動作させ、前記温度検出手段による前記浴槽内の湯水の検出温度が設定温度に到達したとき、前記第１の熱交換器又は前記第２の熱交換器の加熱動作を停止させる制御手段（制御ユニット７６）と、前記装置本体側の前記管路と前記浴槽の循環口（８２、８４）とを連結する循環パイプ（８６、８８）と、前記装置本体に設けられて前記循環パイプのパイプ径が大径である場合に対応する第１の連結部（２３６）と、前記パイプ径が小径である場合に対応する第２の連結部（２３８）とを有する連結手段（連結具２６、２８）とを備え、前記連結手段は、前記装置本体の取付孔（２２４）に前記装置本体の内側から貫通させて前記装置本体の外部に突出させる円柱状の連結本体部（連結具本体２２０）と、この連結本体部の基部側の周囲部に形成されて前記装置本体側に設置される固定フランジ部（２２２）と、前記装置本体の内側に形成された固定膨出部（２３０、２３２）に載せられて前記装置本体の内側から固定ねじ（２３４）によって固定される固定突部（２２６、２２８）とを有し、前記第１の連結部は、前記装置本体の壁面部に突設させた前記連結本体部の外径部で形成され、前記第２の連結部は、前記連結本体部に形成されて前記管路と連通させた前記外径部より径小なねじ孔で形成され、前記循環パイプのパイプ径が小径であって、前記第２の連結部の前記ねじ孔に適合する場合には、前記第２の連結部の前記ねじ孔に前記循環パイプを固定することにより、前記第２の連結部と前記循環パイプとを連結させ、前記循環パイプが前記第２の連結部の前記ねじ孔より径大であって、前記第１の連結部である前記連結本体部の前記外径部に対応させる場合には、前記第１の連結部に前記循環パイプを当て、弾性を持つ連結部材を前記第１の連結部と前記循環パイプとに跨がらせて取り付けることにより、前記第１の連結部と前記循環パイプとを前記連結部材によって連結させることを特徴とする。
【０００８】
このように、給湯装置の装置本体側に循環パイプのパイプ径に対応する第１及び第２の連結部を有する連結手段を備えたことにより、循環パイプが変更されても、連結手段の取替えを行うことなく、浴槽と装置本体とを循環パイプで容易に接続することができる。
【００１０】
従前の浴槽等では、第１及び第２の循環口を備えたものがあり、それに対応するため、給湯装置側では対応する第１及び第２の管路を設けている。そして、循環口の大きさと、装置本体側の第１及び第２の管路の径は、装置本体側の装備、即ち、ポンプを内蔵した強制循環型か、ポンプを内蔵しない自然循環型かによって相違している。そのため、従前の浴槽のように自然循環型の循環口を備えている場合に、その浴槽と強制循環型の装置本体とを連結する場合には当然、循環口と第１及び第２の管路の径は異なる。
【００１１】
そこで、第１又は第２の管路と第１又は第２の循環パイプとを連結するための連結手段に循環パイプに対応する第１及び第２の連結部を備えた。このようにすることで、従前の浴槽に対し、強制循環型又は自然循環型の何れの給湯装置の装置本体でも、連結手段の交換を伴うことなく、選択された循環パイプにより容易にすることができる。
【００１３】
即ち、強制循環型の給湯装置では、浴槽に接続される装置本体に循環経路、第１及び第２の熱交換器を備えており、浴槽内の湯水を循環経路に強制的に流し出し、第２の熱交換器に循環させている。第１の熱交換器は、上水を加熱し、浴槽その他に給湯する。
【００１５】
即ち、従前の浴槽等を用いて自動沸上げを可能にしたものである。浴槽内の湯水温度は、浴槽内又は循環経路側で検出することができる。温度検出手段は、給湯又は追焚時に浴槽内の湯水温度を検出する。この検出温度は、制御手段に制御情報として取り込まれ、その検出温度が設定温度に到達したとき、第１又は第２の熱交換器による加熱動作を停止することで、浴槽の湯水を設定温度に制御することができる。ポンプを設置した強制循環型の給湯装置では、ポンプによって浴槽内の湯水を攪拌できるので、浴槽内の湯水温度と設定温度との誤差は無視できる程度となる。
【００１６】
本発明の給湯装置において、前記浴槽内の湯水の温度を設定する温度設定スイッチ（１８２）を備えて前記制御手段に前記加熱動作を制御させる遠隔操作手段（リモコン装置８０）を備えることを特徴とする。
【００１７】
即ち、従前の浴槽等を用いて自動沸上げとともに、その遠隔操作を実現したものである。浴槽内の湯水の検出温度は、制御手段に制御情報として取り込まれ、その検出温度が設定温度に到達したとき、第１又は第２の熱交換器による加熱動作を停止することで、浴槽の湯水を設定温度に制御することができる。即ち、遠隔操作手段に浴槽内湯水の温度を設定する温度設定スイッチを備えて制御手段に加熱動作を制御させるように構成した。このような構成とすることで、自動沸上げ操作を浴室外から遠隔的に行うことができる。
【００１９】
即ち、装置本体側の管路に合わせて循環パイプを設定した場合にその循環パイプと浴槽側の循環口との相違に対応するものである。装置本体側に接続される循環パイプに対応する第１の結合部、浴槽側の循環口に対応する第２の結合部を備える結合手段を用いることで、仕様の異なる浴槽と給湯装置とを容易に連結することが可能となる。
【００２０】
【発明の実施の形態】
以下、本発明を図面に示した一実施形態を参照して詳細に説明する。
【００２１】
図１ないし図３は、本発明の給湯装置の一実施形態を示し、図１は側面側カバーを除いて示した給湯装置、図２は前面側カバーを除いて示した給湯装置、図３は給湯装置の内部構成及び浴槽との接続関係を示す図である。
【００２２】
装置本体２には、第１の熱交換器４、第２の熱交換器６、ポンプ８、電磁弁ユニット１０、水量センサ１２、水位センサ１３、切換弁１４等が内蔵され、熱交換器４の底面側にはファンモータ５、熱交換器６の底面側にはファンモータ７が設けられ、ポンプ８にはモータ９が隣接して配置されているとともに、給湯経路１５、循環経路としての追焚経路１７が形成されている。そして、前面側のパネル部１６には燃料供給口１８、給水口２０及び給湯口２２が設けられている。また、この装置本体２の壁面部には、浴槽２４との連結手段として第１及び第２の連結具２６、２８が突設されている。連結具２６、２８には追焚経路１７が接続されているとともに、追焚経路１７には給湯経路１５が切換弁１４を介して連結されている。即ち、連結具２６、２８には浴槽２４からの湯水３０を循環させる循環経路が追焚経路１７によって形成されている。この実施形態では、連結具２８が往き管路、連結具２６が戻り管路に接続され、連結具２８側には給湯経路１５を通して上水が供給される。
【００２３】
そして、図３に示すように、熱交換器４には燃焼手段として第１のバーナ３２、熱交換器６には燃焼手段として第２のバーナ３４が設置され、各バーナ３２、３４には電磁弁ユニット１０を介してガス管３６が接続され、このガス管３６の終端部は燃料供給口１８に接続されている。電磁弁ユニット１０には、元弁３８、４０、４２、比例弁４４、切換弁４６等を備えている。バーナ３２側には点火プラグ４８、フレームロッド５０、バーナ３４側には同様に点火プラグ５２、フレームロッド５４が設けられ、点火プラグ４８、５２にはイグナイタ５６が接続されている。
【００２４】
給水口２０からの給水は給湯経路１５より水量制御弁５８、水量センサ１２を経て熱交換器４に導かれ、給湯口２２から外部に給湯されるとともに、管路６２を通して追焚経路１７側に導かれる。熱交換器４の出湯側には、温度検出手段としてサーミスタ６４が設けられている。管路６２には、上水と下水とを分離する分離手段としてのバキュームブレーカ６９が設置されるとともに、通過する水量を検出する水量センサ６６が設けられ、この管路６２と追焚経路１７との間には切換弁１４が設けられている。追焚経路１７は、連結具２６からポンプ８、切換弁１４及び熱交換器６を経て連結具２８に至る管路の総称であり、切換弁１４及び管路６２を介して給湯経路１５と連結されている。即ち、給湯経路１５と追焚経路１７とは独立した管路を構成するが、浴槽２４への給湯時には追焚経路１７が給湯経路１５の一部を構成する。追焚経路１７の管路７０には、ポンプ８の入水部に流水スイッチ７５が設けられているとともに、水位センサ１３及び温度検出手段としてのサーミスタ７４が設けられている。
【００２５】
そして、電磁弁ユニット１０、点火プラグ４８、５２、モータ９等の制御を行う制御ユニット７６が設けられ、この制御ユニット７６には無線又は有線による通信媒体７８を通して遠隔操作手段としてのリモコン装置８０が接続されている。
【００２６】
ところで、浴槽２４には装置本体２との連結をする手段として第１及び第２の循環口８２、８４が形成されており、循環口８２と装置本体２の連結具２６は第１の循環パイプ８６、循環口８４と装置本体２の連結具２８は第２の循環パイプ８８により連結されている。即ち、循環口８２、８４の間には装置本体２の追焚経路１７を通して循環経路が形成されている。
【００２７】
次に、図４は、制御ユニット７６の具体的な構成を示している。制御ユニット７６は、ＣＰＵ９０、ＲＯＭ９２、ＲＡＭ９４及びＡ／Ｄ変換器９５、９６、９８、入出力ポート１００、１０１、１０２、１０３、１０４、１０５、１０８、１１０、１１２、１１４、１１６、１１８、１２０、１２２、１２４を有するマイクロコンピュータからなる制御演算部１２６、検出回路１２７、１２８、１３０、１３２、１３４、１３６、１３８、１４０、駆動回路１４２、１４４、１４６、１４８、１５０、１５２、１５４、１５６、１５８及び送受信回路１６４を備えている。この制御ユニット７６には、水位センサ１３、サーミスタ６４、７４、水量センサ１２、６６、流水スイッチ７５、フレームロッド５０、５４が接続され、駆動回路１４２〜１５８の各駆動出力は個別にポンプ８、切換弁１４、イグナイタ５６、元弁３８、４０、４２、切換弁４６、比例弁４４、水量制御弁５８等に加えられている。
【００２８】
次に、図５は、リモコン装置８０の具体的な構成を示している。リモコン装置８０は、ＣＰＵ１６６、ＲＯＭ１６８、ＲＡＭ１７０及び入出力ポート１７２、１７４、１７６、１７８を有するマイクロコンピュータからなる制御演算部１８０を備えており、入出力ポート１７４には温度設定スイッチ１８２のオンオフ出力が検出回路１８４を通して加えられ、入出力ポート１７６の出力は駆動回路１８６を通して表示器１８８に加えられ、また、入出力ポート１７８の出力は音声合成回路１９０を通して発生器１９２に加えられている。そして、送受信回路１９４は通信媒体７８を通して制御ユニット７６側の送受信回路１６４と連携され、その送受信信号は入出力ポート１７２によって授受される。
【００２９】
次に、図６及び図７は、リモコン装置８０の外観的構成を示し、図６は前面パネル部の構成、図７は前面蓋を開いた状態を示している。即ち、リモコン装置８０の前面パネル部１９６には風呂温度及び給湯温度等を表示する表示部１９８、その下面側には自動スイッチ２００、追焚スイッチ２０２、運転スイッチ２０４、呼出スイッチ２０６が設置され、前面蓋２０８を開くと、その本体部２１０にはたし湯スイッチ２１２、優先スイッチ２１４、ポンプスイッチ２１６、給湯温度設定スイッチ１８２等が設置されている。
【００３０】
次に、図８、図９及び図１０は、連結具２６、２８の具体的な構成例を示しており、図８はその外観構成、図９は固定フランジ部側の構成、図１０はその縦断面図を示している。連結具本体２２０は円柱状をなし、その基部側には固定フランジ部２２２が一体に形成されている。連結具本体２２０は装置本体２の取付孔２２４の内側から貫通して突出させ、固定フランジ部２２２が装置本体２の内面側に設置される。
【００３１】
固定フランジ部２２２には、Ｃ字状をなす固定突部２２６、２２８が直径方向に形成されており、これら固定突部２２６、２２８に対応し、装置本体２の内面側には固定膨出部２３０、２３２が形成されている。各固定膨出部２３０、２３２にはねじ孔が設けられており、装置本体２の内側から固定膨出部２３０、２３２に重ね合わせた固定突部２２６、２２８に固定ねじ２３４をねじ付けることにより、連結具本体２２０が装置本体２に固定されている。
【００３２】
ところで、連結具本体２２０の外径部は第１の連結部２３６を構成し、その内側に第２の連結部２３８が形成されている。この実施例では、連結部２３８はねじ孔によって形成されている。即ち、連結部２３６、２３８は循環パイプ８６、８８に選択される異なるパイプ径に対応するためのものであって、連結部２３６には径大な連結パイプを嵌合して固定し、連結部２３８には径小な連結パイプがねじ込みにより固定することができる。
【００３３】
そして、連結具本体２２０の内側には透孔２４０が形成され、この透孔２４０は背面側に径大部２４２、先端部側の肉厚部には径小部２４４を備えている。径小部２４４には循環経路をなす経路２４６が溶接等の固定手段によって固定されている。
【００３４】
次に、図１１及び図１２は装置本体２と浴槽２４との連結状態を示している。家屋の浴室２４８の外部には、高さ整合手段としてのコンクリート等によって設置台２５０が形成され、その上面に装置本体２が設置されている。また、浴室２４８の床２５２にはコンクリートブロック等の支持台２５４を設けて浴槽２４が設置されている。浴室２４８と外部とを仕切る立壁２５６に形成された開口２５８を貫通させて循環パイプ８６、８８が装置本体２と浴室２４８との間に連結されている。浴室２４８の床２５２には、浴槽２４からの雑排水を外部に放流するための排水管２６０が埋設されている。
【００３５】
この実施形態では、装置本体２にポンプ８が内蔵されており、このポンプ８によって浴槽２４の湯水３０を追焚経路１７に循環させるため、細い径の循環パイプ８６、８８が使用されている。したがって、連結具２６、２８の連結部２３８に循環パイプ８６、８８の一端側がそのねじ部２６２により連結されている。また、循環パイプ８６の他端は、浴槽２４側の循環口８２に取り付けられた第１の連結具２６４の径小部２６６と連結ナット２６８により連結され、循環パイプ８８の他端は、浴槽２４側の循環口８４に取り付けられた第２の連結具２７０の径小部２６６と連結ナット２６８により連結されている。なお、循環口８２を包囲するカバー８１には湯水に含まれる挟雑物を除去するフィルタを備えた吸引口８５が形成され、また、循環口８４を包囲するカバー８７には浴槽２４への噴出力を高めるための径小の噴水口８９が形成されている。
【００３６】
結合手段である連結具２６４、２７０は、一端側を第１の結合部としての径小部２６６、他端側を第２の結合部としての径大部２７２に形成されており、径大部２７２側は循環口８２、８４の口径に合致している。したがって、循環口８２、８４と径大部２７２とはゴム等の弾性材料で形成された蛇腹状の連結部材２７４により連結されるとともに、緊締スプリング２７６により固定されている。
【００３７】
以上のように構成すれば、浴槽２４に所定量の湯水３０がない場合には、自動運転により上水が給湯経路１５及び追焚経路１７を通して加熱しながら、浴槽２４に供給される。浴槽２４内の湯水３０の温度が所定温度に到達していない場合には、追焚系路１７を通して追焚運転が行われ、浴槽２４内の湯水３０が所定温度に加熱される。この追焚運転では、浴槽２４の湯水３０がポンプ８を通して追焚経路１７に吸い出され、熱交換器６を通して加熱されることになる。その場合、循環口８２から追焚経路１７に吸い出され、循環口８４から浴槽２４内に追焚経路１７から湯水３０が噴射される。このような吸い出しと噴射とが連続的に繰り返されることにより、浴槽２４内の湯水３０は攪拌される。
【００３８】
次に、図１３は浴槽２４が単一の循環具で構成される場合を示している。この場合、循環具８３にはポンプ循環が可能な細い２つの循環口８２、８４が設けられており、図１２に示した連結具２６４、２７０を使用することなく、循環口８２、８４に連結ナット２６８で連結することができる。
【００３９】
次に、図１４及び図１５は、ポンプを内蔵していない給湯装置の場合について説明する。即ち、図１４に示す装置本体２は、従来の風呂釜と同様に自然循環型の給湯器である。このような形態の給湯器では、浴槽２４との間に湯水が自然に循環するように設定することが必要となり、循環パイプ８６、８８は径の太いパイプを使用することが必要となる。
【００４０】
そこで、図１５に示すように、装置本体２側の連結具２６、２８の連結部２３６側に循環パイプ８６、８８の一端側を結合し、その外面側に連結部材２７４を被せ、緊締スプリング２７６で緊締させる。また、循環パイプ８６、８８の他端側は、循環口８２、８４の口径に合致させて、ゴム等の弾性材料で形成された蛇腹状の連結部材２７４により連結し、緊締スプリング２７６により固定する。
【００４１】
以上の述べたとおり、連結具２６、２８には、選択される循環パイプ８６、８８の径に応じて選択的にねじ孔で形成されている連結部２３８への固定又は径大な連結部２３６への結合により固定して装置本体２と浴槽２４との連結が可能であり、ポンプ８を有する装置本体２では強制循環型の循環経路、ポンプ８を有しない装置本体２では自然循環型の循環経路を容易に形成でき、連結具２６、２８を取り外すことなく、連結作業を行うことができる。
【００４２】
【発明の効果】
以上説明したように、本発明によれば、次の効果が得られる。
ａ．請求項１に係る本発明によれば、装置本体側に循環パイプのパイプ径に対応する第１及び第２の連結部を有する連結手段を備えたので、装置本体に応じた循環パイプが変更されても、連結手段の取替えを行うことなく、仕様の異なる浴槽と装置本体とを循環パイプで容易に接続することができる。
ｂ．請求項２に係る本発明によれば、装置本体側に循環パイプのパイプ径に対応する第１及び第２の連結部を有する第１及び第２の連結手段を備えたので、複数の循環口を備えた浴槽に対し、装置本体側の連結手段の取替えを行うことなく、仕様の異なる浴槽の各循環口と装置本体とを適正な循環パイプで容易に接続することができる。
ｃ．請求項３に係る本発明によれば、浴槽に容易に強制循環型の給湯装置を連結させて給湯及び追焚きを行うことができる。
ｄ．請求項４に係る本発明によれば、浴槽に容易に強制循環型の給湯装置を連結させて給湯及び追焚きを行うことができるとともに、自動沸上げを行うことかできる。
ｅ．請求項５に係る本発明によれば、浴槽に容易に強制循環型の給湯装置を連結させて給湯、追焚き及び自動沸上げを行うことができるとともに、それらの遠隔操作及び制御を行うことができる。
ｆ．請求項６に係る本発明によれば、給湯装置側に循環パイプを合わせた場合にも、仕様の異なる給湯装置と浴槽とを容易に連結させることができる。
【図面の簡単な説明】
【図１】本発明の一実施形態の給湯装置を示す一部切欠側面図である。
【図２】給湯装置を示す一部切欠正面図である。
【図３】給湯装置の内部構成を示す配管系統図である。
【図４】制御ユニットの具体的な構成例を示すブロック図である。
【図５】リモコン装置の具体的な構成例を示すブロック図である。
【図６】リモコン装置を示す正面図である。
【図７】前面蓋を開いて内側を露出させたリモコン装置を示す正面図である。
【図８】装置本体に固定された連結具の外観を示す側面図である。
【図９】連結具を示す背面図である。
【図１０】装置本体に固定された連結具の内部を示す断面図である。
【図１１】装置本体と浴槽との連結状態を示す図である。
【図１２】装置本体と浴槽との細い循環パイプによる連結状態を示す断面図である。
【図１３】装置本体と浴槽との循環パイプによる他の連結状態を示す断面図である。
【図１４】装置本体と浴槽との他の連結状態を示す図である。
【図１５】装置本体と浴槽との太い循環パイプによる連結状態を示す断面図である。
【符号の説明】
２  装置本体
４  第１の熱交換器
６  第２の熱交換器
８  ポンプ
１５  給湯経路（第２の管路）
１７  追焚経路（第１の管路、循環経路）
２４  浴槽
２６  連結具（第１の連結手段）
２８  連結具（第２の連結手段）
３０  湯水
７４  サーミスタ（温度検出手段）
７６  制御ユニット（制御手段）
８２  第１の循環口
８４  第２の循環口
８６  第１の循環パイプ
８８  第２の循環パイプ
１８２  温度設定スイッチ
２３６  第１の連結部
２３８  第２の連結部
２６４  第１の連結具（結合手段）
２６６  径小部（第１の結合部）
２７０  第２の連結具（結合手段）
２７２  径大部（第２の結合部）
【図１】
0004040756.tif 000002
【図２】
0004040756.tif 000003
【図３】
0004040756.tif 000004
【図４】
0004040756.tif 000005
【図５】
0004040756.tif 000006
【図６】
0004040756.tif 000007
【図７】
0004040756.tif 000008
【図８】
0004040756.tif 000009
【図９】
0004040756.tif 000010
【図１０】
0004040756.tif 000011
【図１１】
0004040756.tif 000012
【図１２】
0004040756.tif 000013
【図１３】
0004040756.tif 000014
【図１４】
0004040756.tif 000015
【図１５】
0004040756.tif 000016